【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
個別に発光輝度を制御可能な複数の光源を有する発光手段と、
前記発光手段からの光を変調することで画面上に画像を表示する表示手段と、
前記複数の光源のそれぞれについて、画面上に表示される画像の明るさに応じた目標輝度を決定する決定手段と、
前記複数の光源に対応する複数の領域のうち、所定のオブジェクトが表示され、かつ、動オブジェクトが表示されない領域に対応する光源の目標輝度を、周辺の光源の目標輝度に基づいて補正する補正手段と、
前記目標輝度に基づいて、前記複数の光源のそれぞれの発光輝度を制御する制御手段と、
を有することを特徴とする表示装置。
【請求項２】
前記複数の光源に対応する複数の領域のうち、所定のオブジェクトが表示される領域をオブジェクトブロックとして検出する第１検出手段と、
前記複数の領域のうち、動オブジェクトが表示されない領域を準静止ブロックとして検出する第２検出手段と、
を有し、
前記補正手段は、前記第１検出手段でオブジェクトブロックとして検出され、かつ、前記第２検出手段で準静止ブロックとして検出された領域である準静止オブジェクトブロックに対応する光源の目標輝度を、周辺の光源の目標輝度に基づいて補正する
ことを特徴とする請求項１に記載の表示装置。
【請求項３】
前記補正手段は、準静止オブジェクトブロックに対応する光源の目標輝度を、周辺に位置する複数の光源のうち、オブジェクトブロックとして検出されていない準静止ブロックに対応する光源の目標輝度に基づいて補正する
ことを特徴とする請求項２に記載の表示装置。
【請求項４】
前記補正手段は、
準静止オブジェクトブロックに対応する光源の周辺に位置する複数の光源のうち、オブジェクトブロック以外の領域に対応し、かつ、準静止オブジェクトブロックに対応する光源との間の過去のフレームにおける目標輝度の差が閾値以下であった光源を選択し、
準静止オブジェクトブロックに対応する光源の現在のフレームにおける目標輝度を、選択した光源の現在のフレームにおける目標輝度に近づける
ことを特徴とする請求項２または３に記載の表示装置。
【請求項５】
前記補正手段は、準静止オブジェクトブロックに対応する光源の周辺に、オブジェクトブロック以外の領域に対応し、かつ、目標輝度の差が閾値以下であった光源が複数存在する場合に、当該複数の光源のうち目標輝度の差が最も小さかった光源を選択する
ことを特徴とする請求項４に記載の表示装置。
【請求項６】
前記補正手段は、準静止オブジェクトブロックに対応する光源の現在のフレームにおける目標輝度を、選択した光源の現在のフレームにおける目標輝度に置換する
ことを特徴とする請求項４または５に記載の表示装置。
【請求項７】
前記補正手段は、準静止オブジェクトブロックに対応する光源の周辺に、オブジェクトブロック以外の領域に対応し、かつ、目標輝度の差が閾値以下であった光源が存在しない場合には、周辺の光源の目標輝度に基づいて準静止オブジェクトブロックに対応する光源の目標輝度を補正する処理を行わない
ことを特徴とする請求項４〜６のいずれか１項に記載の表示装置。
【請求項８】
前記過去のフレームは、現在のフレームの１つ前のフレームである
ことを特徴とする請求項４〜７のいずれか１項に記載の表示装置。
【請求項９】
前記複数の光源のそれぞれについて、その光源に対応する領域における画像の動きを検出する動き検出手段をさらに有し、
前記第２検出手段は、前記動き検出手段で画像の動きが検出されなかった光源が所定数以上周辺に位置する光源に対応する領域を、準静止ブロックとして検出する
ことを特徴とする請求項２〜８のいずれか１項に記載の表示装置。
【請求項１０】
前記複数の光源のそれぞれについて、その光源に対応する領域における画像の動きを検出する動き検出手段をさらに有し、
前記第２検出手段は、前記動き検出手段で複数フレーム続けて画像の動きがないと判断された光源に対応する領域を、準静止ブロックとして検出する
ことを特徴とする請求項２〜８のいずれか１項に記載の表示装置。
【請求項１１】
前記複数の光源のそれぞれについて、その光源に対応する領域における画像の動きを検出する動き検出手段と、
前記動き検出手段の検出結果を記憶する記憶手段と、
をさらに有し、
前記第２検出手段は、前記記憶手段に記録されている画像の動きの検出結果に基づいて、準静止ブロックを検出し、
前記記憶手段は、オブジェクトブロックに対応する光源について、記憶している前記動き検出手段の検出結果を更新しない
ことを特徴とする請求項２〜８のいずれか１項に記載の表示装置。
【請求項１２】
シーンの切り替わりを検出するシーンチェンジ検出手段をさらに有し、
前記補正手段は、前記シーンチェンジ検出手段でシーンの切り替わりが検出された場合には、周辺の光源の目標輝度に基づいて準静止オブジェクトブロックに対応する光源の目標輝度を補正する処理を行わない
ことを特徴とする請求項２〜１１のいずれか１項に記載の表示装置。
【請求項１３】
前記所定のオブジェクトは、ユーザ操作を補助する補助オブジェクトである
ことを特徴とする請求項１〜１２のいずれか１項に記載の表示装置。
【請求項１４】
前記所定のオブジェクトは、カーソルである
ことを特徴とする請求項１〜１３のいずれか１項に記載の表示装置。
【請求項１５】
個別に発光輝度を制御可能な複数の光源を有する発光手段と、
前記発光手段からの光を変調することで画面上に画像を表示する表示手段と、
前記複数の光源のそれぞれについて、画面上に表示される画像の明るさを表す特徴量を取得する取得手段と、
前記複数の光源に対応する複数の領域のうち、所定のオブジェクトが表示され、かつ、動オブジェクトが表示されない領域に対応する光源に対して取得された特徴量を、周辺の光源に対して取得された特徴量に基づいて補正する補正手段と、
前記特徴量に基づいて、前記複数の光源のそれぞれの発光輝度を制御する制御手段と、を有することを特徴とする表示装置。
【請求項１６】
個別に発光輝度を制御可能な複数の光源を有する発光部と、
前記発光部からの光を変調することで画面上に画像を表示する表示部と、
を有する表示装置の制御方法であって、
前記複数の光源のそれぞれについて、画面上に表示される画像の明るさに応じた目標輝度を決定する決定ステップと、
前記複数の光源に対応する複数の領域のうち、所定のオブジェクトが表示され、かつ、動オブジェクトが表示されない領域に対応する光源の目標輝度を、周辺の光源の目標輝度に基づいて補正する補正ステップと、
前記目標輝度に基づいて、前記複数の光源のそれぞれの発光輝度を制御する制御ステップと、
を有することを特徴とする表示装置の制御方法。
【請求項１７】
個別に発光輝度を制御可能な複数の光源を有する発光部と、
前記発光部からの光を変調することで画面上に画像を表示する表示部と、
を有する表示装置の制御方法であって、
前記複数の光源のそれぞれについて、画面上に表示される画像の明るさを表す特徴量を取得する取得ステップと、
前記複数の光源に対応する複数の領域のうち、所定のオブジェクトが表示され、かつ、動オブジェクトが表示されない領域に対応する光源に対して取得された特徴量を、周辺の光源に対して取得された特徴量に基づいて補正する補正ステップと、
前記特徴量に基づいて、前記複数の光源のそれぞれの発光輝度を制御する制御ステップと、
を有することを特徴とする表示装置の制御方法。
【請求項１８】
請求項１６または１７に記載の表示装置の制御方法の各ステップをコンピュータに実行させるためのプログラム。 
【手続補正２】
【補正対象書類名】明細書
【補正対象項目名】０００８
【補正方法】変更
【補正の内容】
【０００８】
本発明の第１の態様は、
個別に発光輝度を制御可能な複数の光源を有する発光手段と、
前記発光手段からの光を変調することで画面上に画像を表示する表示手段と、
前記複数の光源のそれぞれについて、画面上に表示される画像の明るさに応じた目標輝度を決定する決定手段と、
前記複数の光源に対応する複数の領域のうち、所定のオブジェクトが表示され、かつ、動オブジェクトが表示されない領域に対応する光源の目標輝度を、周辺の光源の目標輝度に基づいて補正する補正手段と、
前記目標輝度に基づいて、前記複数の光源のそれぞれの発光輝度を制御する制御手段と、
を有することを特徴とする表示装置である。 
【手続補正３】
【補正対象書類名】明細書
【補正対象項目名】０００９
【補正方法】変更
【補正の内容】
【０００９】
本発明の第２の態様は、
個別に発光輝度を制御可能な複数の光源を有する発光手段と、
前記発光手段からの光を変調することで画面上に画像を表示する表示手段と、
前記複数の光源のそれぞれについて、画面上に表示される画像の明るさを表す特徴量を取得する取得手段と、
前記複数の光源に対応する複数の領域のうち、所定のオブジェクトが表示され、かつ、動オブジェクトが表示されない領域に対応する光源に対して取得された特徴量を、周辺の光源に対して取得された特徴量に基づいて補正する補正手段と、
前記特徴量に基づいて、前記複数の光源のそれぞれの発光輝度を制御する制御手段と、を有することを特徴とする表示装置である。 
【手続補正４】
【補正対象書類名】明細書
【補正対象項目名】００１０
【補正方法】変更
【補正の内容】
【００１０】
本発明の第３の態様は、
個別に発光輝度を制御可能な複数の光源を有する発光部と、
前記発光部からの光を変調することで画面上に画像を表示する表示部と、
を有する表示装置の制御方法であって、
前記複数の光源のそれぞれについて、画面上に表示される画像の明るさに応じた目標輝度を決定する決定ステップと、
前記複数の光源に対応する複数の領域のうち、所定のオブジェクトが表示され、かつ、動オブジェクトが表示されない領域に対応する光源の目標輝度を、周辺の光源の目標輝度に基づいて補正する補正ステップと、
前記目標輝度に基づいて、前記複数の光源のそれぞれの発光輝度を制御する制御ステップと、
を有することを特徴とする表示装置の制御方法である。 
【手続補正５】
【補正対象書類名】明細書
【補正対象項目名】００１１
【補正方法】変更
【補正の内容】
【００１１】
本発明の第４の態様は、
個別に発光輝度を制御可能な複数の光源を有する発光部と、
前記発光部からの光を変調することで画面上に画像を表示する表示部と、
を有する表示装置の制御方法であって、
前記複数の光源のそれぞれについて、画面上に表示される画像の明るさを表す特徴量を取得する取得ステップと、
前記複数の光源に対応する複数の領域のうち、所定のオブジェクトが表示され、かつ、動オブジェクトが表示されない領域に対応する光源に対して取得された特徴量を、周辺の光源に対して取得された特徴量に基づいて補正する補正ステップと、
前記特徴量に基づいて、前記複数の光源のそれぞれの発光輝度を制御する制御ステップと、
を有することを特徴とする表示装置の制御方法である。 
【手続補正６】
【補正対象書類名】明細書
【補正対象項目名】００１２
【補正方法】変更
【補正の内容】
【００１２】
本発明の第５の態様は、上記表示装置の制御方法の各ステップをコンピュータに実行させるためのプログラムである。